(57)【要約】【課題】ケーブルを壁面などのコネクタ部に接続する際に、壁面などからのプラグやケーブルの出っ張りを極力小さくできる接続用ソケットを提供する。【解決手段】ケーシング本体１が長手方向でＬ型に構成され、このケーシング本体１の一端側に壁コンセントなどのコネクタ部に差し込むためのプラグ部Ａが設けられるとともに、他端側にケーブル端のプラグを差し込むためのコネクタ部Ｂが設けられ、ケーシング本体１内に前記プラグ部Ａの端子２０と前記コネクタ部Ｂの端子３０とを電気的に接続する配線が設けられている。この接続用ソケットを用いることにより、壁コンセントなどからの出っ張りは接続用ソケットの厚み分だけで済むため、従来のプラグのような大きな出っ張りを生じるようなことがない。【選択図】      図１
2004220866.tif 000002
【特許請求の範囲】
【請求項１】
ケーシング本体が長手方向でＬ型に構成され、該ケーシング本体の一端側に壁コンセント、機器類などのコネクタ部に差し込むためのプラグ部Ａが設けられるとともに、他端側にケーブル端のプラグを差し込むためのコネクタ部Ｂが設けられ、ケーシング本体内に前記プラグ部Ａの端子と前記コネクタ部Ｂの端子とを電気的に接続する配線が設けられていることを特徴とするケーブル接続用ソケット。
【請求項２】
端部にプラグを有するケーブルであって、前記プラグのケーシング本体が長手方向でＬ型に構成され、該ケーシング本体の一端側に壁コンセント、機器類などのコネクタ部に差し込むためのプラグ部が設けられるとともに、ケーシング本体の他端側からその内部にケーブルが挿入され、該ケーブルの心線が前記プラグ部の端子に接続されることを特徴とするプラグ付きケーブル。
【発明の詳細な説明】
【０００１】
【発明の属する技術分野】
本発明は、ＬＡＮ用ケーブルや電話用ケーブルなどのプラグ付きケーブルを壁コンセントや機器類のコネクタ部に接続する際に用いる接続用ソケット、並びに端部にプラグを備えたＬＡＮ用、電話用などのケーブルに関する。
【０００２】
【従来の技術】
ＬＡＮ用ケーブルや電話用ケーブルは、壁コンセントや機器本体に接続するために、その端部に図７に示すようなプラグ（モジュラープラグ）を有している。
このプラグＦは、細長のケーシング本体７の先端側に端子となる複数枚のプレード８を有するとともに、ケージング本体７の他端側から挿入されたケーブルＣの心線ｃを前記各ブレード８に接続した構造を有しており、先端側の部分を壁コンセントや機器本体のコネクタ部Ｚに差し込むことにより、前記各ブレード８の端部（端子）をコネクタ部Ｚ内の端子９と接触させるものである。
【０００３】
【発明が解決しようとする課題】
上記のような従来のプラグは、例えば、壁コンセントのコネクタに差し込んだ場合、図７に示すようにプラグ後端側の部分とこれに接続されたケーブル部分が壁面から３〜４ｃｍ程度も出っ張り、この出っ張りが他の機器類や家具類などを設置する上で邪魔になるという問題がある。
したがって本発明の目的は、ＬＡＮ用ケーブルや電話用ケーブルなどの各種ケーブルを壁コンセントや機器本体のコネクタ部に接続する際に、壁面や機器本体などからのプラグやケーブルの出っ張りを極力小さくすることができる技術を提供することにある。
【０００４】
【課題を解決するための手段】
上記目的を達成するため、本発明は以下のような特徴を有する。
［１］  ケーシング本体が長手方向でＬ型に構成され、該ケーシング本体の一端側に壁コンセント、機器類などのコネクタ部に差し込むためのプラグ部Ａが設けられるとともに、他端側にケーブル端のプラグを差し込むためのコネクタ部Ｂが設けられ、ケーシング本体内に前記プラグ部Ａの端子と前記コネクタ部Ｂの端子とを電気的に接続する配線が設けられていることを特徴とするケーブル接続用ソケット。
【０００５】
［２］  端部にプラグを有するケーブルであって、前記プラグのケーシング本体が長手方向でＬ型に構成され、該ケーシング本体の一端側に壁コンセント、機器類などのコネクタ部に差し込むためのプラグ部が設けられるとともに、ケーシング本体の他端側からその内部にケーブルが挿入され、該ケーブルの心線が前記プラグ部の端子に接続されることを特徴とするプラグ付きケーブル。
【０００６】
【発明の実施の形態】
まず、本発明のケーブル接続用ソケットの実施形態について説明する。
図１〜図３は、本発明の接続用ソケットの一実施形態を示すもので、図１は斜視図、図２は部分断面側面図、図３は使用状態での部分断面側面図である。
図において、Ｘは本発明の接続用ソケット、Ｙはこれに接続されるケーブル端のプラグ、Ｚは壁コンセントのコネクタ部（差し込み穴）、１は接続用ソケットＸのケーシング本体であり、このケーシング本体１はプラスチック製である。
【０００７】
接続用ソケットＸのケーシング本体１は長手方向でＬ型（Ｌ字形）に構成され、このケーシング本体１の一端側には壁コンセント、機器本体などのコネクタ部（本実施形態では壁コンセントのコネクタ部Ｚ）に差し込むためのプラグ部Ａが設けられるとともに、他端側にケーブル端のプラグＹを差し込むためのコネクタ部Ｂが設けられている。
前記プラグ部Ａの構造は、従来公知のプラグが有するプラグ部の構造と基本的に同様であり、断面略矩形状のケーシング本体部分の内部に、複数枚のブレード２が互いに絶縁された状態で配置されるとともに、各ブレード２の下端がケーシング本体１の下面から突出し、この突出したブレード部分が端子２０を構成している。
【０００８】
また、前記プラグ部Ａの上面（端子２０が突出した面と反対側の面）には、プラグ部Ａを壁コンセントのコネクタ部Ｚに差し込んだ際に、プラグ部Ａをコネクタ部Ｚ内に係止するための公知の係止レバー４が設けられている。この係止レバー４は、プラグ部Ａの端部側を基端部４１とし、先端部側がケーシング本体１のＬ型の角部方向に延出しており、略全体が前記基端部４１側を支点として上下方向に弾性変形可能である。この係止レバー４の長手方向における基端部４１側の部分は先端部側の部分よりも幅広に構成され、これにより係止レバー４長手方向の略中間部の両側に段部４０が形成されている。
【０００９】
プラグ部Ａをコンセント部Ｚに差し込んだ際に、前記係止レバー４はコネクタ部Ｚ内側の上壁に形成された溝６´内に進入するが、係止レバー４の幅広の基端部側の部分が溝６´の開口端の両側に突設されたストッパ部５´を通過する際にこのストッパ部５´に拘束されることで下方（ケーシング本体方向）に弾性変形するとともに、係止レバー４の幅広の基端部側の部分がストッパ部５´を通過すると、ストッパ部５´による拘束が解除されることで弾性変形が解かれ、前記段部４０がストッパ部５´の内側端面と係合する。これによりプラグ部Ａはコネクタ部Ｚ内に係止される。また、プラグ部Ａをコネクタ部Ｚから引き抜く際には、係止レバー４を指で押して下方に弾性変形させ、前記段部４０と前記ストッパ部５´との係合状態を解除することにより、プラグ部Ａをコネクタ部Ｚから容易に引き抜くことができる。
【００１０】
前記コネクタ部Ｂの構造は、壁コンセントや機器本体などに設けられる従来公知のコネクタ部の構造と基本的に同様であり、その開口部の内方には、ケーブル端のプラグＹが有する複数の端子２０´（ブレード２´の端部）にそれぞれ接触すべき端子３０が設けられている。この各端子３０は弾性変形可能な導線ワイヤ３の一部により構成されている。すなわち、導線ワイヤ３の端部部分がレ字状に折り曲げ成形され、このレ字状の端部部分がコネクタ部Ｂ内の空間（差し込み穴）内に配置されることで端子３０が構成されている。この各端子３０は、ケーブル端のプラグＹが差し込まれた際にプラグＹの各端子２０´（ブレード２´の端部）に押されて基端部３１（折曲部）近傍を支点として弾性変形し、端子２０´に対して所定の接触圧で接触する。
【００１１】
また、コネクタ部Ｂの前記端子３０と対向する側の内壁には、ケーブル端のプラグＹが有する係止レバー４´を受け入れるための溝６が形成されるとともに、コネクタ部Ｂの開口端における前記溝６の両側には、前記係止レバー４´の段部４０´と係合するストッパ部５が突設されている。なお、この係止レバー４´及び段部４０´とストッパ部５との関係は、先に述べた係止レバー４及び段部４０とストッパ部５´との関係と同様である。
【００１２】
ケーシング本体１内には、前記プラグ部Ａの端子と前記コネクタ部Ｂの端子とを電気的に接続する配線が設けられるが、本実施形態では、前記各端子３０に連なる各導線ワイヤ３部分がこの配線を構成している。すなわち、前記各端子３０に連なる各導線ワイヤ３の他端部側がケーシング本体１内をプラグ部Ａまで延出し、その端部が前記各ブレード２に接続されることにより、プラグ部Ａの端子とコネクタ部Ｂの端子とを電気的に接続する配線が設けられている。
【００１３】
以上述べた接続用ソケットＸは、図３に示すようにそのコネクタ部Ｂにケーブル端のプラグＹが差し込まれ、その各端子２０´がコネクタ部Ｂ内に配置された各端子３０に接触するとともに、係止レバー４´の段部４０´がコネクタ部Ｂ内側のストッパ部５と係合することにより、プラグＹがコネクタ部Ｂに対して係止される。一方、接続用ソケットＸのプラグ部Ａは壁コンセントのコネクタ部Ｚに差し込まれ、その各端子２０がコネクタ部Ｚ内に配置された各端子３０´（この端子３０´の構成は先に述べた端子３０の構成と同様である）に接触するとともに、係止レバー４の段部４０がコネクタ部Ｚ内側のストッパ部５´と係合することにより、プラグ部Ａがコネクタ部Ｚに係止される。この状態でケーブル端のプラグＹは接続用ソケットＸを介して壁コンセントのコネクタ部Ｚと接続されたことになるが、本発明の接続用ソケットＸを用いることにより、壁コンセントからの出っ張りは接続用ソケットＸの厚み分だけで済むため、従来のプラグのような大きな出っ張りを生じるようなことがない。
【００１４】
次に、本発明のプラグ付きケーブルの実施形態について説明する。
図４〜図６は、本発明のケーブルの端部に設けられたプラグの一実施形態を示すもので、図４は斜視図、図５は側面図、図６は使用状態での側面図である。
図において、Ｅは本発明のプラグ付きケーブルのプラグ、Ｃはこれに接続されたケーブル、Ｚは壁コンセントのコネクタ部（差し込み穴）、１０はプラグＥのケーシング本体であり、このケーシング本体１０はプラスチック製である。
【００１５】
プラグＥのケーシング本体１０は長手方向でＬ型（Ｌ字形）に構成され、このケーシング本体１０の一端側には壁コンセント、機器本体などのコネクタ部（本実施形態では壁コンセントのコネクタ部Ｚ）に差し込むためのプラグ部Ａ１が設けられている。このプラグ部Ａ１の構造は、従来公知のプラグが有するプラグ部の構造と基本的に同様であり、断面略矩形状のケーシング本体部分の内部に、複数枚のブレード１２が互いに絶縁された状態で配置されるとともに、各ブレード１２の下端がケーシング本体１０の下面から突出し、この突出したブレード部分が端子１２０を構成している。
【００１６】
また、前記プラグ部Ａ１の上面（端子１２０が突出した面と反対側の面）には、プラグ部Ａ１を壁コンセントのコネクタ部Ｚに差し込んだ際に、プラグ部Ａ１をコネクタ部Ｚ内に係止するための公知の係止レバー１４が設けられている。この係止レバー１４（１４０はストッパ部５´と係合する段部，１４１は基端部）の構造や機能は図１〜図３の実施形態における係止レバー４と同様であるので、その説明は省略する。
ケーシング本体１０内には、その他端側からケーブルＣが挿入され、このケーブルＣの各心線ｃが前記プラグ部Ａ１の各ブレード１２に接続されている。
なお、壁コンセントのコネクタ部Ｚの構造は図１〜図３の実施形態と同様である。
【００１７】
以上述べたプラグ付きケーブルは、図６に示すようにそのプラグＥのプラグ部Ａ１が壁コンセントのコネクタ部Ｚに差し込まれ、その各端子１２０がコネクタ部Ｚ内に配置された各端子３０´に接触するとともに、係止レバー１４の段部１４０がコネクタ部Ｚ内側のストッパ部５´と係合することにより、コネクタ部Ｚに係止される。この状態で本発明のケーブルが壁コンセントのコネクタ部Ｚに接続されたことになるが、壁コンセントからの出っ張りはプラグＥの厚み分だけで済むため、従来のプラグのような大きな出っ張りを生じるようなことがない。
【００１８】
なお、壁コンセントや機器本体のコネクタ部Ｚは横向き（図１、図４の状態から９０°横向きの状態）に設けられる場合があり、この場合には、本発明の接続用ソケットＸやケーブルのプラグＥは、長手方向を水平にしてコネクタ部Ｚに接続される。
また、以上述べた実施形態では、本発明の接続用ソケットやプラグ付きケーブルを壁コンセントのコネクタ部Ｚに接続する場合について述べたが、コネクタ部Ｚとしては、機器本体や接続用器具などはじめとするあらゆるコネクタ部を対象とすることができる。
【００１９】
【発明の効果】
以上述べた本発明のケーブル接続用ソケット並びにプラグ付きケーブルは、ＬＡＮ用ケーブルや電話用ケーブルなどの各種ケーブルを壁コンセントや機器本体などのコネクタ部に接続する際に、プラグやケーブルの壁面や機器本体などからの出っ張りを極力小さくすることができる。
【図面の簡単な説明】
【図１】本発明のケーブル接続用ソケットの一実施形態を示す斜視図
【図２】図１の実施形態のケーブル接続用ソケットの部分断面側面図
【図３】図１の実施形態のケーブル接続用ソケットの使用状態での部分断面側面図
【図４】本発明のプラグ付きケーブルの端部に設けられたプラグの一実施形態を示す斜視図
【図５】図４の実施形態のプラグの側面図
【図６】図４の実施形態のプラグの使用状態での側面図
【図７】従来のプラグの使用状態での側面図
【符号の説明】
１，１０…ケーシング本体、２，１２…ブレード、３…導線ワイヤ、４，１４…係止レバー、５…ストッパ部、６…溝、２０，１２０…端子、３０…端子、３１…基端部、４０，１４０…段部、４１，１４１…基端部、Ａ，Ａ１…プラグ部、Ｂ…コネクタ部、Ｃ…ケーブル、ｃ…心線、Ｅ…プラグ、Ｘ…接続用ソケット
【図１】
2004220866.tif 000003
【図２】
2004220866.tif 000004
【図３】
2004220866.tif 000005
【図４】
2004220866.tif 000006
【図５】
2004220866.tif 000007
【図６】
2004220866.tif 000008
【図７】
2004220866.tif 000009